(57)【要約】【課題】ループアンテナと伝送線路とのインピーダンスマッチングを行うことにより、定在波の発生を抑制できるようにする。【解決手段】リーダライタ３１の伝送線路Ｌ１，Ｌ２に、ループアンテナ１１と並列に抵抗４１が接続されている。この抵抗４１の抵抗値は、ループアンテナ１１のインピーダンスと伝送線路Ｌ１，Ｌ２の特性インピーダンスとが等しくなる値となっている。その結果、ループアンテナ１１上の定在波の発生を抑制することができる。【選択図】      図３
2004222122.tif 000002
【特許請求の範囲】
【請求項１】
電磁誘導を利用した通信を行うアンテナを、送信されるデータを表す送信データ信号と送信キャリア信号に基づく差動出力により駆動させる駆動回路を備える通信装置において、
前記アンテナを駆動する伝送線路の特性インピーダンスと、前記アンテナ自身のインピーダンスとの整合が図られている
ことを特徴とする通信装置。
【請求項２】
電磁誘導を利用した通信を行うアンテナを、送信されるデータを表す送信データ信号と送信キャリア信号に基づく差動出力により駆動させる駆動回路を備える通信装置において、
前記アンテナを駆動する伝送線路の特性インピーダンスと、前記駆動回路の出力インピーダンスとの整合が図られている
ことを特徴とする通信装置。
【発明の詳細な説明】
【０００１】
【発明の属する技術分野】
本発明は、通信装置に関し、特に、アンテナ上に定在波が発生されないようにした通信装置に関する。
【０００２】
【従来の技術】
図１は、従来のリーダライタ１の構成例を示している。
【０００３】
アンテナ駆動回路１２は、送信キャリア供給部１３から入力された送信キャリア信号に対して、送信データ供給部１４から入力された送信データに基づいて変調処理を施し、その結果得られた電流をドライブ電流としてループアンテナ１１に出力する。
【０００４】
具体的には、送信キャリア供給部１３からの送信キャリア信号は、アンテナ駆動回路１２のインバータ３１、インバータ３４、およびインバータ３５にそれぞれ入力され、そこで振幅の正負が反転される。インバータ３１の出力信号は、インバータ３２およびインバータ３３に入力され、そこで振幅の正負がさらに反転される（元に戻される）。
【０００５】
送信データ供給部１４からの送信データ信号は、インバータ３３およびインバータ３５のスリーステートコントロール端子にそれぞれ入力され、インバータ３３，３５のイネーブル／ディセーブル状態を決定する。
【０００６】
インバータ３２からの出力信号（振幅の正負が反転されていない送信キャリア信号）とインバータ３３からの出力信号（振幅の正負が反転されていない送信キャリア信号）は、接点ａにおいて重畳されるが、このときのインバータ３３の状態（イネーブルまたはディセーブル）によって、ＡＳＫ（Ａｍｐｌｉｔｕｄｅ  Ｓｈｉｆｔ  Ｋｅｙｉｎｇ）変調される。
【０００７】
インバータ３４からの出力信号（振幅の正負が反転された送信キャリア信号）とインバータ３５からの出力信号（振幅の正負が反転された送信キャリア信号）は、接点ｂにおいて重畳されるが、このときのインバータ３５の状態（イネーブルまたはディセーブル）によって、ＡＳＫ変調される。
【０００８】
接点ａおよび接点ｂにおいて重畳された信号は、それぞれ、出力端子ＴＰおよびＴＭを介してループアンテナ１１に出力される。
【０００９】
ループアンテナ１１からは、アンテナ駆動回路１２からのドライブ電流に対応する電磁波が輻射される。ループアンテナ１１には、ループコイル２１およびコンデンサ２２からなる共振回路が設けられている。
【００１０】
【発明が解決しようとする課題】
ところで、ループアンテナ１１と伝送線路Ｌ１，Ｌ２、または伝送線路Ｌ１，Ｌ２とアンテナ駆動回路１２とのインピーダンスマッチングがなされていないと、送信キャリアの高周波周波数帯域の定在波が発生する。これは、例えば、携帯電話機の妨害波となるので、リーダライタ１を、携帯電話機に搭載した場合（特許文献参照）、受信性能が著しく低下する問題があった。
【００１１】
本発明はこのような状況に鑑みてなされたものであり、インピーダンスマッチングを行うことにより、定在波の発生を防止するものである。
【００１２】
なお、ループアンテナ１１は、電磁誘導を利用して電磁波を輻射するので、その設計においては、電界を効率よく発生させるために、開口面積の確保が重要とされている。また送信キャリアが１３．５６ＭＨｚという無線通信の中では比較的低い周波数であり、輻射される高周波は、図２に示す電波法の規定を十分満たしている。すなわちこのような理由から、従来においては、ループアンテナ１１から輻射される高周波を抑制することは注目されておらず、上述したような問題を解決するための技術が開発されていなかった。
【００１３】
【特許文献】
特開平１１−２１３１１１号公報
【００１４】
【課題を解決するための手段】
本発明の第１の、電磁誘導を利用した通信を行うアンテナを、送信されるデータを表す送信データ信号と送信キャリア信号に基づく差動出力により駆動させる駆動回路を備える通信装置は、アンテナを駆動する伝送線路の特性インピーダンスと、アンテナ自身のインピーダンスとの整合が図られていることを特徴とする。
【００１５】
本発明の第２の、電磁誘導を利用した通信を行うアンテナを、送信されるデータを表す送信データ信号と送信キャリア信号に基づく差動出力により駆動させる駆動回路を備える通信装置は、アンテナを駆動する伝送線路の特性インピーダンスと、駆動回路の出力インピーダンスとの整合が図られていることを特徴とする。
【００１６】
【発明の実施の形態】
図３，４，５は、本発明を適用したリーダライタ３１の構成例を示している。図３に示すリーダライタ３１には、図１に示すリーダライタ１の伝送線路Ｌ１，Ｌ２に、ループアンテナ１１と並列に抵抗４１が接続されている。この抵抗４１の抵抗値は、ループアンテナ１１自身のインピーダンスと伝送線路Ｌ１，Ｌ２の特性インピーダンスとが等しくなる値となっている。なお、図３の他の部分は、図１における場合と同様であるので、その説明は省略する。他の図においても同様である。
【００１７】
図４に示すリーダライタ３１には、アンテナ駆動回路１２の出力端子ＴＰと接点ａの間に抵抗５１が挿入され、出力端子ＴＭと接点ｂの間に抵抗５２が挿入されている。この抵抗５１および５２のそれぞれの抵抗値は、アンテナ駆動回路１２の出力インピーダンスと伝送線路Ｌ１，Ｌ２の特性インピーダンスとが等しくなる値となっている。
【００１８】
図５に示すリーダライタ３１には、アンテナ駆動回路１２の出力端子ＴＰと接点ａ、および出力端子ＴＭと接点ｂの間に、コイル６１−１とコイル６１−２が挿入されている。このコイル６１−１とコイル６１−２の相互インダクタンスは、アンテナ駆動回路１２の出力インピーダンスと伝送線路Ｌ１，Ｌ２の特性インピーダンスとが等しくなる値となっている。
【００１９】
以上のようにして、ループアンテナ１１と伝送線路Ｌ１，Ｌ２、または伝送線路Ｌ１，Ｌ２とアンテナ駆動回路１２とのインピーダンスマッチングを行うことにより、定在波の発生が抑制される。
【００２０】
【発明の効果】
第１または第２の発明によれば、送信キャリアの高周波周波数帯域の定在波の発生を抑制することができる。
【図面の簡単な説明】
【図１】従来のリーダライタの構成例を示すブロック図である。
【図２】電波法の内容を表す図である。
【図３】本発明を適用したリーダライタの構成例を示すブロック図である。
【図４】本発明を適用した他のリーダライタの構成例を示すブロック図である。
【図５】本発明を適用した他のリーダライタの構成例を示すブロック図である。
【符号の説明】
３１  リーダライタ，  ４１  抵抗，  ５１  抵抗，  ５２  抵抗，  ６１  コイル
【図１】
2004222122.tif 000003
【図２】
2004222122.tif 000004
【図３】
2004222122.tif 000005
【図４】
2004222122.tif 000006
【図５】
2004222122.tif 000007